(57)【要約】【課題】スピーカホルダー等のスピーカ取り付け部材及びビスを抹消し部品点数を減らして材料コストの削減を図るとともに、スピーカ取り付け時の作業性を簡易化したスピーカ取り付け構造及びその構造を採用した薄型表示装置を提供する。【解決手段】フロントキャビネット３とリアキャビネット４を組み合わせて構成されるキャビネット内部に表示装置本体及びスピーカ６を収納してなる薄型表示装置において、フロントキャビネット３の表面側にフロントカバー２を重ねて取り付けるとともに、フロントキャビネット３のスピーカ６取り付け箇所にスピーカ６のフランジ部６ａよりも小さな内径の開口部８を設け、スピーカ６をフロントカバー２とフロントキャビネット３の間に挟持して固定した。【選択図】図１
2008294923.tif 000002
【特許請求の範囲】
【請求項１】
表面側をフロントカバーで覆った二重構造からなるフロントキャビネットとリアキャビネットとを組み合わせて構成されるキャビネットにスピーカを取り付けるスピーカ取り付け構造において、
前記フロントキャビネットのスピーカ取り付け箇所にスピーカのフランジ部よりも小さな内径の開口部を設け、前記スピーカを前記フロントカバーと前記フロントキャビネットの間に挟持して固定することを特徴とするスピーカ取り付け構造。
【請求項２】
フロントキャビネットとリアキャビネットを組み合わせて構成されるキャビネット内部に表示装置本体及びスピーカを収納してなる薄型表示装置において、
前記フロントキャビネットの表面側にフロントカバーを重ねて取り付けるとともに、前記フロントキャビネットのスピーカ取り付け箇所に前記スピーカのフランジ部よりも小さな内径の開口部を設け、前記スピーカを前記フロントカバーと前記フロントキャビネットの間に挟持して固定することを特徴とする薄型表示装置。
【発明の詳細な説明】
【技術分野】
【０００１】
本発明は、表面側をフロントカバーで覆った二重構造からなるフロントキャビネットとリアキャビネットとで構成されるキャビネットへのスピーカ取り付け構造及びその取付け構造を採用した薄型表示装置に関する。
【背景技術】
【０００２】
近年、液晶表示装置に代表されるような薄型表示装置が実用化され、このような薄型表示装置は、通常、前方のフロントキャビネットと、後方のリアキャビネットによってそのキャビネットが形成され、キャビネット内部には画像を表示するための表示装置本体及びスピーカが装着される。具体的には、液晶表示装置において表示装置本体とは液晶表示パネル、該液晶表示パネルを駆動するための駆動回路、放送信号を受信するためのチューナ、各部を制御するための制御回路等が実装された回路基板等で構成されるものである。
【０００３】
また、薄型表示装置の中にはフロントキャビネットの表面側をフロントカバーで覆った二重構造を採用したものがある。この二重構造により、フロントカバーは、薄型表示装置の表面を保護するとともに、表面に光沢塗装又は艶消し処理等を施したものを用いることにより薄型表示装置の外観を装飾し、装置全体の意匠性向上を促すことができる。
【０００４】
図４はフロントカバー２とフロントキャビネット３の二重構造を後方から示す分解斜視図である。一般に、フロントカバー２は中央部に表示装置本体からの画像を表示するために表示用窓部２ａが設けられ、フロントキャビネット３と略同形状に形成されるとともにフロントカバー２の裏面はフロントキャビネット３と結合するための爪２ｂ及びフロントキャビネット結合用ボス２ｃが複数樹脂で一体成形されている。
【０００５】
一方、フロントキャビネット３の裏面はフロントカバー２の爪２ｂと嵌合するための貫通孔３ｂ及び、フロントカバー結合用孔３ｃが樹脂で一体成形されている。これにより、フロントカバー２にフロントキャビネット３を収納するように重ね合わせ、フロントカバーの側壁から内側に突起した爪２ｂを対応するフロントキャビネット３側の孔３ｂに嵌合させた後、ボス２ｃを対応するフロントカバー結合用孔３ｃに合致させ、ネジ止めすることでフロントキャビネット３の表面とフロントカバー２の裏面とを密着固定することができる。
【０００６】
図５はこの二重構造を採用したフロントキャビネット３における従来のスピーカ取り付け構造を示す分解斜視図であり、図６はスピーカ取付け後の状態を示すフロントキャビネット３の斜視図であり、図７はスピーカ６装着後のスピーカ取り付け箇所近傍を拡大して示す断面図である。フロントキャビネット３及びフロントカバー２のスピーカ６取り付け箇所にはスピーカ６からの音声を前方へ送り出すために複数の貫通孔３ｄが形成されるとともに、フロントキャビネット３裏面のスピーカ取り付け箇所上部及び下部にはスピーカホルダー結合用のボス３ｅが突設されている。
【０００７】
図５、図６に示すようにスピーカ６をフロントキャビネット３に取り付ける場合、まず、スピーカ６をフロントキャビネット３裏面のスピーカ取り付け箇所に載置し、スピーカ６のフランジ部６ａ背面にスピーカホルダー７を上下２箇所に当接させる。次に、スピーカホルダー結合用のボス３ｅとスピーカホルダー７に形成された貫通孔を合致させ、ネジ止めによりスピーカホルダー７とフロントキャビネット３を固定する。こうして、図７に示すようにフランジ部６ａの背面がスピーカホルダー７により押圧され、スピーカ６がフロントキャビネット３に取り付け固定される。
【０００８】
また、スピーカ取り付け構造として上記スピーカホルダーを用いる方法以外に、特許文献１に開示されるようなフロントキャビネットとリアキャビネットの間にスピーカを挟持して固定する方法、特許文献２に開示されるようなフロントキャビネットにスピーカ支持用のボスを設け固定部材を用いてフロントキャビネットにスピーカを固定する方法、特許文献３に開示されるようなリアキャビネットから突設したフロントキャビネット結合用ボスの側部にスピーカ支持用のリブを設け該リブによりスピーカを押さえつけ固定する方法等が従来、提案されている。
【特許文献１】特開平１１−２８９５０８公報
【特許文献２】特開２００５−３１８１６８公報
【特許文献３】実公開平２−８４４９６公報
【発明の開示】
【発明が解決しようとする課題】
【０００９】
しかし、図４乃至図７で示したスピーカホルダー７を用いたスピーカ取り付け構造によると、スピーカ６の取り付け時にスピーカ６をフロントキャビネット３の所定位置に載置した後、スピーカホルダー７に形成された貫通孔とスピーカ結合用ボス３ｅを合致させる必要があるとともに、スピーカホルダー７及びスピーカホルダー７を固定するためのビスを新たに用意する必要があり作業効率及び材料コストの面で効率が悪かった。
【００１０】
同様に、特許文献１及び特許文献２に記載の取り付け方法においてもスピーカ固定用の固定部材及びビスが必要であり、特許文献３に記載の取り付け方法においてもボスの側部にスピーカ固定用のリブを新たに設ける必要があるため製造工程のコストダウンを十分に図ることができなかった。
【００１１】
そこで上記課題に鑑み、本発明は、スピーカホルダー等のスピーカ取り付け部材及びビスを抹消し部品点数を減らして材料コストの削減を図るとともに、スピーカ取り付け時の作業性を簡易化したスピーカ取り付け構造及びその構造を採用した薄型表示装置の提供を目的としている。
【課題を解決するための手段】
【００１２】
上記目的を達成するために本発明の構成は、表面側をフロントカバーで覆った二重構造からなるフロントキャビネットとリアキャビネットとを組み合わせて構成されるキャビネットにスピーカを取り付けるスピーカ取り付け構造において、前記フロントキャビネットのスピーカ取り付け箇所にスピーカのフランジ部よりも小さな内径の開口部を設け、前記スピーカを前記フロントカバーと前記フロントキャビネットの間に挟持して固定することを特徴とする。
【００１３】
また本発明は、フロントキャビネットとリアキャビネットを組み合わせて構成されるキャビネット内部に表示装置本体及びスピーカを収納してなる薄型表示装置において、前記フロントキャビネットの表面側にフロントカバーを重ねて取り付けるとともに、前記フロントキャビネットのスピーカ取り付け箇所に前記スピーカのフランジ部よりも小さな内径の開口部を設け、前記スピーカを前記フロントカバーと前記フロントキャビネットの間に挟持して固定することを特徴とする薄型表示装置である。
【発明の効果】
【００１４】
本発明の第１の構成によると、フロントキャビネットのスピーカ取り付け箇所にはスピーカのフランジ部よりも小さな内径の開口部が設けられているため、フロントカバー裏面のスピーカ取り付け箇所にスピーカを載置してフロントキャビネットを重ね合わせたとき、スピーカの本体部分は前記開口部よりリアキャビネット側に貫通するとともに、スピーカのフランジ部背面は、フロントキャビネット表面の開口部周縁と当接する。
【００１５】
したがって、フロントキャビネットとフロントカバーを密着固定することで、スピーカのフランジ部がフロントキャビネット開口部周縁に付勢されフロントカバー側に押圧され、スピーカをフロントカバーとフロントキャビネットの間に挟持して固定することができる。
【００１６】
このとき、従来のようなスピーカホルダー等のスピーカ取り付け部材及びそれに用いるビスは不用であり、スピーカ取り付けのためのネジ止め作業を省略し、フロントキャビネットとフロントカバーの取付け作業によりスピーカを固定することができる。したがって、部品点数及び作業工数を削減してコストダウンを図ることが可能となる。
【００１７】
また本発明の第２の構成によると、本発明の第１の構成と同様に、フロントキャビネットとフロントカバーを密着固定することで、スピーカのフランジ部がフロントキャビネットの開口部周縁に付勢されフロントカバー側に押圧固定される。これにより、部品点数及び作業工数を削減してコストダウンを図りながら、スピーカをフロントカバーとフロントキャビネットの間に挟持して固定することができる。
【００１８】
したがって、このフロントキャビネットとリアキャビネットを組み合わせてキャビネットを構成し、内部に薄型表示本体を収納して薄型表示装置を製造することによって、表示装置製造のコストダウンを図ることができる。
【発明を実施するための最良の形態】
【００１９】
以下、本発明を実施するための最良の実施形態について図面を参照して説明する。なお、従来例の図４及び図７と共通する部分には同一の符号を付して説明を省略する。また、これらの図においては、理解を容易にするために、各部材の寸法比は実際と異ならせてあり、細部の構成は省略して概念的に示してある。また、以下、フロントキャビネット及びフロントカバーの表面とは表示装置を視聴する側に向いた面を意味し、裏面とはその反対側の面を意味する。
【００２０】
図１はフロントカバー２及びフロントキャビネット３を分解して示す分解斜視図、図２はスピーカ取り付け後のフロントキャビネット３の裏面を示す斜視図、図３はスピーカ取り付け時のスピーカ取り付け箇所近傍を拡大して示す断面図である。
【００２１】
ここで、本実施形態に係る液晶表示装置は前面側のフロントキャビネット３と、後面側のリアキャビネット（不図示）によって構成されるキャビネットの内部に液晶表示装置本体を収納したものであり、液晶表示装置本体は図示しないが画像を表示するための液晶表示パネル、該液晶表示パネルを駆動するための駆動回路、放送信号を受信するためのチューナ、各部を制御するための制御回路等が実装された回路基板で構成されている。
【００２２】
また、図１に示すようにフロントキャビネット３は上記説明したものと同様に表面をフロントカバー２で覆った二重構造を採用しており、本発明に係るスピーカ取り付け構造はこの二重構造を利用してフロントカバー２とフロントキャビネット３の間にスピーカ６を挟持し固定するものである。ここで、フロントカバー２はフロントキャビネット３と略同形状に形成され、フロントキャビネット３の表面に嵌合するとともに、その裏面にはフロントキャビネット３と結合するための爪２ｂが複数設けられるとともにボス２ｃが突設され、中央部には液晶表示パネルからの画像を表示するための表示用窓部２ａを有する。また、表示用窓部２ａの左右に位置するスピーカ取り付け箇所にはスピーカ６からの音を視聴者側へ送り出すための貫通孔２ｄが複数成形されている。
【００２３】
一方、フロントキャビネット３の表面には所定位置にフロントカバー２の爪２ｂと嵌合する孔３ｂ及びリブ等の支持部材（不図示）、フロントキャビネット３の裏面には、リアキャビネット及び液晶表示装置本体と結合するためのボス３ｆ等が樹脂で一体成形され、中央部には液晶表示パネルからの画像を表示するための表示用窓部３ａを有する。また、表示用窓部３ａの左右に位置するスピーカ取り付け箇所には、スピーカ６のフランジ部６ａよりも小さな内径の開口部８が設けられている。
【００２４】
次に本発明に係るスピーカ取り付け方法について説明する。まず、フロントカバー２裏面のスピーカ取り付け箇所にスピーカ６を載置してフロントキャビネット３を重ね合わせることで、スピーカ本体部６ｂは開口部８よりフロントキャビネット３裏面側に貫通する。また、このときスピーカ６のフランジ部６ａ背面は、フロントキャビネット３表面の開口部周縁８ａと当接する（図３参照）。
【００２５】
次に、フロントカバー２裏面に突設されたフロントキャビネット結合用ボス２ｃとフロントキャビネット３に形成されたフロントカバー結合用孔３ｃを合致させ、ネジ止めにより、フロントキャビネット３とフロントカバー２を密着固定する。これにより、スピーカ６のフランジ部６ａがフロントキャビネット３の開口部周縁８ａに付勢されフロントカバー２側に押圧される。これにより、スピーカ６がフロントカバー２とフロントキャビネット３の間に挟持固定される。
【００２６】
このとき、従来のようなスピーカホルダーは不用であり、ビス１０ｃもフロントカバー２とフロントキャビネット３を固定するためのものを使用することができる。従って、スピーカ６取り付けのためのネジ止め作業を省略し、フロントキャビネット３とフロントカバー２の取付け作業のみでスピーカ６を固定することができる。こたため、部品点数及び作業工数を削減してコストダウンを図ることができる。
【００２７】
また、フロントカバー２裏面に突設されたフロントキャビネット結合用ボス２ｃはスピーカ取り付け箇所近傍において、スピーカ６を中心に対称な位置に配置するよう設計することで、フランジ部６ａを安定して押さえつけることができる。これにより、フロントキャビネット３に設けた開口部周縁８ａの押圧力が異なりフランジ部６ａに対して部分的に力が加わることを防ぎ、音質の劣化、音量の低下を抑えることができる。また、フランジ部６ａと当接するフロントキャビネット３の開口部周縁８ａに振動減衰部材を挟着してスピーカ６からの振動を軽滅することも可能である。
【００２８】
なお、液晶表示装置はフロントキャビネット３裏面から表示用窓部３ａに液晶表示装置本体を取り付け、リアキャビネット結合用ボス３ｆとリアキャビネットに設けた孔を合致させネジ止めすることにより完成する。このとき、本実施形態に係る液晶表示装置は特許文献１で示すようなリアキャビネットから起立するボスによりスピーカ６背面にある空間を制限されないことからスピーカ６の音域を安定させる効果も期待できる。
【００２９】
以上、本発明の一実施例を詳述したが、本発明は、前記実施例に限定されるものではなく、本発明の要旨の範囲内で種々の変形実施が可能である。例えば、本実施形態では、液晶表示装置に適用した一例を示したが、液晶表示装置に限らず、プラズマディスプレイや有機ＥＬディスプレイなどにも適用可能な技術である。
【００３０】
また、フロントカバーはフロントキャビネットと略同一形状である限定にされず、フロントキャビネットのスピーカ取り付け箇所でフロントカバーが重なり合う二重構造であれば、本発明の課題を解決することができる。
【産業上の利用可能性】
【００３１】
本発明は、液晶ディスプレイ、プラズマディスプレイや有機ＥＬディスプレイ等の薄型表示装置に利用することができる。
【図面の簡単な説明】
【００３２】
【図１】は本発明に係るフロントカバー及びフロントキャビネットを分解して示す分解斜視図である。
【図２】は本発明に係るスピーカ取り付け構造によるフロントキャビネットの裏面を示す斜視図である。
【図３】は本発明に係るスピーカ取り付け構造によるスピーカ取り付け箇所近傍を拡大して示す断面図である。
【図４】は従来のフロントカバーとフロントキャビネットの二重構造を示す分解斜視図である。
【図５】は従来のスピーカ取り付け構造によるフロントキャビネットの裏面を示す分解斜視図である。
【図６】は従来のスピーカ取付け構造によるフロントキャビネット裏面をの斜視図である。
【図７】は従来のスピーカ取り付け構造によるスピーカ取り付け箇所近傍を拡大して示す断面図である。
【符号の説明】
【００３３】
２    フロントカバー
２ａ  表示用窓部
２ｂ  爪
２ｃ  フロントキャビネット結合用ボス
２ｄ  貫通孔
３    フロントキャビネット
３ａ  表示用窓部
３ｂ  孔
３ｃ  フロントカバー結合用孔
３ｄ  貫通孔
３ｅ  スピーカホルダ結合用ボス
３ｆ  リアキャビネット結合用ボス
６    スピーカ
６ａ  フランジ部
６ｂ  スピーカ本体部
７    スピーカホルダー
８    開口部
８ａ  開口部周縁部
【図１】
2008294923.tif 000003
【図２】
2008294923.tif 000004
【図３】
2008294923.tif 000005
【図４】
2008294923.tif 000006
【図５】
2008294923.tif 000007
【図６】
2008294923.tif 000008
【図７】
2008294923.tif 000009